(57)【特許請求の範囲】
【請求項１】
ベルトガイドレールに装着された１本の無端ベルトからなり、半分がベルトガイドレールの表側に位置して露出した状態にあり、他の半分がベルトガイドレールの裏側に位置して隠れた状態にある手すりベルトの表面に表面保護用コーティング剤を複数回重ね塗りして複数層の保護膜を形成する乗客コンベアにおける手すりベルトの保護膜形成方法であって、
ベルトガイドレールの表側に位置して露出した状態にある一側部のベルトの露出部分の表面に、露出部分の一端側から他端側へ向かって表面保護用コーティング剤を塗布して一側第一保護膜層を形成し、一側第一保護膜層の上に、一側第一保護膜層の両端部より内側に表面保護用コーティング剤を塗布して一側第ｎ保護膜層を形成してｎ層からなる一側の保護膜を形成し、
前記一側の保護膜を形成した後、前記手すりベルトを回転移動させ、ベルトガイドレールの裏側に位置して隠れた状態にあった他側部のベルトを前記一側の保護膜の両端部が露出するようにベルトガイドレールの表側に露出させ、
露出した前記他側部のベルトの表面に、一側第一保護膜層の両端部間に表面保護用コーティング剤を塗布して他側第一保護膜層を、この他側第一保護膜層の両端部が一側第一保護膜層の両端部と重なるように形成し、一側第ｎ保護膜層の両端部間に表面保護用コーティング剤を塗布して他側第ｎ保護膜層を、この他側第ｎ保護膜層の両端部が一側第ｎ保護膜層の両端部と重なるように形成してｎ層からなる他側の保護膜を形成することを特徴とする乗客コンベアにおける手すりベルトの保護膜形成方法。
【請求項２】
ベルトガイドレールに装着された１本の無端ベルトからなり、半分がベルトガイドレールの表側に位置して露出した状態にあり、他の半分がベルトガイドレールの裏側に位置して隠れた状態にある手すりベルトの表面に表面保護用コーティング剤を複数回重ね塗りして複数層の保護膜を形成する乗客コンベアにおける手すりベルトの保護膜形成方法であって、
ベルトガイドレールの表側に位置して露出した状態にある一側部のベルトの露出部分の表面に、露出部分の一端側から他端側へ向かって表面保護用コーティング剤を塗布して一側第一保護膜層を形成し、
一側第一保護膜層の上に、一方の端部を一側第一保護膜層の一方の端部より内側に、他方の端部を一側第一保護膜層の他方の端部より外側に位置するように表面保護用コーティング剤を塗布して一側第ｎ保護膜層を形成してｎ層からなる一側の保護膜を形成し、
前記一側の保護膜を形成した後、前記手すりベルトを回転移動させ、ベルトガイドレールの裏側に位置して隠れた状態にあった他側部のベルトを前記一側の保護膜の両端部が露出するようにベルトガイドレールの表側に露出させ、
露出した前記他側部のベルトの表面に、一側第一保護膜層の露出している端部と一側第ｎ保護膜層の露出している端部間に表面保護用コーティング剤を塗布して他側第一保護膜層を、この他側第一保護膜層の一方の端部が一側第一保護膜層の露出している端部と、他方の端部が一側第ｎ保護膜層の露出している端部とに重なるように形成し、
一側第ｎ保護膜層の露出している端部と一側第ｎ保護膜層の下層に位置する一側第一保護膜層の端部間に表面保護用コーティング剤を塗布して他側第ｎ保護膜層を、この他側第ｎ保護膜層の一方の端部が一側第ｎ保護膜層の露出している端部と、他方の端部が一側第ｎ保護膜層の下層に位置する一側第一保護膜層の端部とに重なるように形成してｎ層からなる他側の保護膜を形成することを特徴とする乗客コンベアにおける手すりベルトの保護膜形成方法。
【請求項３】
ベルトガイドレールに装着された１本の無端ベルトからなり、半分がベルトガイドレールの表側に位置して露出した状態にあり、他の半分がベルトガイドレールの裏側に位置して隠れた状態にある手すりベルトの表面に表面保護用コーティング剤を複数回重ね塗りして複数層の保護膜を形成する乗客コンベアにおける手すりベルトの保護膜形成方法であって、
ベルトガイドレールの表側に位置して露出した状態にある一側部のベルトの露出部分の表面に、露出部分の一端側から他端側へ向かって表面保護用コーティング剤を塗布して一側第一保護膜層を形成し、一側第一保護膜層の上に、両端部が一側第一保護膜層の両端部より外側に位置するように表面保護用コーティング剤を塗布して一側第ｎ保護膜層を形成してｎ層からなる一側の保護膜を形成し、
前記一側の保護膜を形成した後、前記手すりベルトを回転移動させ、ベルトガイドレールの裏側に位置して隠れた状態にあった他側部のベルトを前記一側の保護膜の両端部が露出するようにベルトガイドレールの表側に露出させ、
露出した前記他側部のベルトの表面に、一側第ｎ保護膜層の両端部間に表面保護用コーティング剤を塗布して他側第一保護膜層を、この他側第一保護膜層の端部が一側第ｎ保護膜層の両端部と重なるように形成し、
一側第ｎ保護膜層の下層に位置する一側第一保護膜層の両端部間に表面保護用コーティング剤を塗布して他側第二保護膜層を、この他側第二保護膜層の両端部が一側第ｎ保護膜層の下層に位置する一側第一保護膜層の両端部とに重なるように形成してｎ層からなる他側の保護膜を形成することを特徴とする乗客コンベアにおける手すりベルトの保護膜形成方法。
【請求項４】
前記ベルトガイドレールの表側に位置して露出した状態にある一側部のベルトの露出部分の表面に、表面保護用コーティング剤を塗布して一側第一保護膜層、一側第ｎ保護膜層を形成してｎ層からなる一側の保護膜を形成し、前記手すりベルトを回転移動させ、前記一側の保護膜の両端部が露出するようにベルトガイドレールの裏側に位置して隠れた状態にあった他側部のベルトをベルトガイドレールの表側に露出させた後、
前記一側の保護膜の両端部における一側第一保護膜層、一側第ｎ保護膜層の端部を検出して同端部位置における手すりベルト近傍のベルトガイドレールに、一側第一保護膜層、一側第ｎ保護膜層の端部を指示する指示マークを着脱可能に設けることを特徴とする請求項１，２又は３に記載の乗客コンベアにおける手すりベルトの保護膜形成方法。
【発明の詳細な説明】
【技術分野】
【０００１】
本発明は、エスカレータ、動く歩道等の乗客コンベアの手すりベルト表面を保護し美感を維持するための乗客コンベアにおける手すりベルトの保護膜形成方法に関する。
【背景技術】
【０００２】
一般に、百貨店やホームセンター、公共施設や駅舎など多くの場所に設置されているエスカレータや動く歩道等の乗客コンベアの手すりベルトは、綿帆布やスチールコード等の強度部材とクロロスルホン化ポリエチレン等の表面部材から構成されている。前記手すりベルトは、長期間の使用により、利用者の手垢、手汗、手脂や空気中の塵埃が付着し、次第に光沢を失ってしまう。また、かかる手すりベルトは、送りローラにより狭圧されて駆動するため、送りローラの摩擦熱や圧力により付着した汚れが表面に蓄積し、細かな土砂が付着して送りローラにより擦られることで光沢を失いその美感が損なわれてしまう。
【０００３】
そこで、手すりベルト表面を保護し美感を維持するため、手すりベルトに表面保護用コーティング剤を塗布して手すりベルトの表面に保護膜を形成し、定期的に或いは手すりベルトの表面に形成されている保護膜に汚れが生じてきたとき、手すりベルトの表面に形成されている保護膜を除去し、表面保護用コーティング剤を塗布して新たな保護膜を形成するといった保護膜形成作業が行われている。
【０００４】
この保護膜形成作業は、手すりベルトの表面を研磨して保護膜を除去し、表面保護用コーティング剤を塗布して新たな保護膜を形成するが、手すりベルトの表面に望ましい光沢及び耐久性を得るため、表面保護用コーティング剤を重ね塗して複数層の保護膜を形成している。
【０００５】
従来、かかる手すりベルトの表面の保護膜形成作業において、手すりベルトの表面に複数層の保護膜を形成する方法として、ベルトガイドレールの表側に位置して露出した状態にある一側部のベルトの露出部分の表面に塗布開始位置及び塗布終了位置を示すマークとしてマスキングテープを貼付し、前記塗布開始位置から前記塗布終了位置の間の前記ベルトの表面にコーティング剤を複数回重ね塗りして複数層の一側の保護膜を形成し、次いで前記一側の保護膜層の両端からマスキングテープを取り除くとともにベルトを回転移動させて、ベルトガイドレールの裏側に位置して隠れた状態にあった他側部のベルトをベルトガイドレールの表側に露出させ、前記一側の保護膜層の両端部間のベルトの表面に、表面保護用コーティング剤を複数回重ね塗りして前記一側の保護膜層と同数層の他方の保護膜を形成する方法や、ベルトガイドレールの表側に位置して露出した状態にある一側部のベルトの表面に塗布開始位置及び塗布終了位置を示すマークとしてマスキングテープを貼付し、前記塗布開始位置から前記塗布終了位置の間の前記ベルトの表面に表面保護用コーティング剤を塗布して一側の第一保護膜層を形成し、前記一方の第一保護膜層の上に、一側の第二保護膜層の塗布開始位置及び塗布終了位置を示すマスキングテープを貼付し、該塗布開始位置から前記塗布終了位置までの間の一側の第一保護膜層の上に表面保護用コーティング剤を塗布して一側の第二保護膜層を形成し、このようにして複数層の一側の保護膜を形成し、次いで前記複数層の一側の保護膜層の両端からマスキングテープを取り除くとともにベルトを回転移動させて、ベルトガイドレールの裏側に位置して隠れた状態にあった他側部のベルトをベルトガイドレールの表側に露出させ、前記一側の第一保護膜層の両端間のベルトの表面に表面保護用コーティング剤を塗布して他方の第一保護膜層を形成し、前記一側の第二保護膜層の両端部間の一側の第一保護膜層の上に表面保護用コーティング剤を塗布して他側の第二保護膜層を形成し、このようにして複数層の他側の保護膜を形成する方法（例えば、特許文献１参照。）が知られている。
【特許文献１】特開平１０−１８２０４９号公報
【発明の開示】
【発明が解決しようとする課題】
【０００６】
しかしながら、上記のような従来の乗客コンベアの手すりベルトに複数層の保護膜を形成する方法によれば、ベルトの表面に塗布開始位置と塗布終了位置を示すマークとしてマスキングテープを貼付し、前記塗布開始位置から前記塗布終了位置の間のベルトの表面に表面保護用コーティング剤を塗布して一側の保護膜を形成するので、前記マスキングテープを取り除いた後の一側の保護膜の両端部、即ち塗布開始位置及び塗布終了位置に形成された保護膜の端部は、ベルトの表面に対して直角面を持つ段状部となってしまう。そのため、一側の保護膜の両端部に塗り継ぎした他側の保護膜との継ぎ目が目立ってしまい見苦しくなり、また、一側の保護膜の端部に他側の保護膜の端部を塗り継ぎしたとき、一側の保護膜の端部に他側の保護膜の端部が乗り上がってしまい、盛り上がって見苦しくなるといった問題があった。
【０００７】
本発明の目的とするところは、ベルトの表面に形成された一側の保護膜の端部と他側の保護膜の端部との継ぎ目が目立たなく且つ保護膜全体を均一な厚さに形成できるようにした乗客コンベアの手すりベルトの保護膜形成方法を提供することにある。
【課題を解決するための手段】
【０００８】
上記の課題を解決するため、請求項１に記載の発明は、ベルトガイドレールに装着された１本の無端ベルトからなり、半分がベルトガイドレールの表側に位置して露出した状態にあり、他の半分がベルトガイドレールの裏側に位置して隠れた状態にある手すりベルトの表面に表面保護用コーティング剤を複数回重ね塗りして複数層の保護膜を形成する乗客コンベアにおける手すりベルトの保護膜形成方法であって、ベルトガイドレールの表側に位置して露出した状態にある一側部のベルトの露出部分の表面に、露出部分の一端側から他端側へ向かって表面保護用コーティング剤を塗布して一側第一保護膜層を形成し、一側第一保護膜層の上に、一側第一保護膜層の両端部より内側に表面保護用コーティング剤を塗布して一側第ｎ保護膜層を形成してｎ層からなる一側の保護膜を形成し、前記一側の保護膜を形成した後、前記手すりベルトを回転移動させ、ベルトガイドレールの裏側に位置して隠れた状態にあった他側部のベルトを前記一側の保護膜の両端部が露出するようにベルトガイドレールの表側に露出させ、露出した前記他側部のベルトの表面に、一側第一保護膜層の両端部間に表面保護用コーティング剤を塗布して他側第一保護膜層を、この他側第一保護膜層の両端部が一側第一保護膜層の両端部と重なるように形成し、一側第ｎ保護膜層の両端部間に表面保護用コーティング剤を塗布して他側第ｎ保護膜層を、この他側第ｎ保護膜層の両端部が一側第ｎ保護膜層の両端部と重なるように形成してｎ層からなる他側の保護膜を形成することを特徴とする。
【０００９】
請求項２に記載の発明は、ベルトガイドレールに装着された１本の無端ベルトからなり、半分がベルトガイドレールの表側に位置して露出した状態にあり、他の半分がベルトガイドレールの裏側に位置して隠れた状態にある手すりベルトの表面に表面保護用コーティング剤を複数回重ね塗りして複数層の保護膜を形成する乗客コンベアにおける手すりベルトの保護膜形成方法であって、ベルトガイドレールの表側に位置して露出した状態にある一側部のベルトの露出部分の表面に、露出部分の一端側から他端側へ向かって表面保護用コーティング剤を塗布して一側第一保護膜層を形成し、一側第一保護膜層の上に、一方の端部を一側第一保護膜層の一方の端部より内側に、他方の端部を一側第一保護膜層の他方の端部より外側に位置するように表面保護用コーティング剤を塗布して一側第ｎ保護膜層を形成してｎ層からなる一側の保護膜を形成し、前記一側の保護膜を形成した後、前記手すりベルトを回転移動させ、ベルトガイドレールの裏側に位置して隠れた状態にあった他側部のベルトを前記一側の保護膜の両端部が露出するようにベルトガイドレールの表側に露出させ、露出した前記他側部のベルトの表面に、一側第一保護膜層の露出している端部と一側第ｎ保護膜層の露出している端部間に表面保護用コーティング剤を塗布して他側第一保護膜層を、この他側第一保護膜層の一方の端部が一側第一保護膜層の露出している端部と、他方の端部が一側第ｎ保護膜層の露出している端部とに重なるように形成し、一側第ｎ保護膜層の露出している端部と一側第ｎ保護膜層の下層に位置する一側第一保護膜層の端部間に表面保護用コーティング剤を塗布して他側第ｎ保護膜層を、この他側第ｎ保護膜層の一方の端部が一側第ｎ保護膜層の露出している端部と、他方の端部が一側第ｎ保護膜層の下層に位置する一側第一保護膜層の端部とに重なるように形成してｎ層からなる他側の保護膜を形成することを特徴とする。
【００１０】
請求項３に記載の発明は、ベルトガイドレールに装着された１本の無端ベルトからなり、半分がベルトガイドレールの表側に位置して露出した状態にあり、他の半分がベルトガイドレールの裏側に位置して隠れた状態にある手すりベルトの表面に表面保護用コーティング剤を複数回重ね塗りして複数層の保護膜を形成する乗客コンベアにおける手すりベルトの保護膜形成方法であって、ベルトガイドレールの表側に位置して露出した状態にある一側部のベルトの露出部分の表面に、露出部分の一端側から他端側へ向かって表面保護用コーティング剤を塗布して一側第一保護膜層を形成し、一側第一保護膜層の上に、両端部が一側第一保護膜層の両端部より外側に位置するように表面保護用コーティング剤を塗布して一側第ｎ保護膜層を形成してｎ層からなる一側の保護膜を形成し、前記一側の保護膜を形成した後、前記手すりベルトを回転移動させ、ベルトガイドレールの裏側に位置して隠れた状態にあった他側部のベルトを前記一側の保護膜の両端部が露出するようにベルトガイドレールの表側に露出させ、露出した前記他側部のベルトの表面に、一側第ｎ保護膜層の両端部間に表面保護用コーティング剤を塗布して他側第一保護膜層を、この他側第一保護膜層の端部が一側第ｎ保護膜層の両端部と重なるように形成し、一側第ｎ保護膜層の下層に位置する一側第一保護膜層の両端部間に表面保護用コーティング剤を塗布して他側第二保護膜層を、この他側第二保護膜層の両端部が一側第ｎ保護膜層の下層に位置する一側第一保護膜層の両端部とに重なるように形成してｎ層からなる他側の保護膜を形成することを特徴とする。
【００１１】
請求項４に記載の発明は、請求項１，２又は３に記載の、前記ベルトガイドレールの表側に位置して露出した状態にある一側部のベルトの露出部分の表面に、表面保護用コーティング剤を塗布して一側第一保護膜層、一側第ｎ保護膜層を形成してｎ層からなる一側の保護膜を形成し、前記手すりベルトを回転移動させ、前記一側の保護膜の両端部が露出するようにベルトガイドレールの裏側に位置して隠れた状態にあった他側部のベルトをベルトガイドレールの表側に露出させた後、前記一側の保護膜の両端部における一側第一保護膜層、一側第ｎ保護膜層の端部を検出して同端部位置における手すりベルト近傍のベルトガイドレールに、一側第一保護膜層、一側第ｎ保護膜層の端部を指示する指示マークを着脱可能に設けることを特徴とする。
【発明の効果】
【００１２】
請求項１に記載の乗客コンベアの手すりベルトの保護膜形成方法によれば、ベルトガイドレールの表側に位置して露出した状態にある一側部のベルトの露出部分の表面に形成された一側第一保護膜層と、一側第一保護膜層の上に形成された一側第ｎ保護膜層の両端部は、いずれも塗布直後に未塗装側へ流れて緩やかな傾斜面となり、そして、他側部のベルトの表面に、一側第一保護膜層の両端部間に表面保護用コーティング剤を塗布して他側第一保護膜層を、この他側第一保護膜層の両端部が一側第一保護膜層の両端部と重なるように形成し、一側第ｎ保護膜層の両端部間に表面保護用コーティング剤を塗布して他側第ｎ保護膜層を、この他側第ｎ保護膜層の両端部が一側第ｎ保護膜層の両端部と重なるように形成するので、前記他側第一保護膜層の端部及び他側第ｎ保護膜層の端部が、緩やかな傾斜面となっている一側第一保護膜層の端部及び一側第ｎ保護膜層の端部と重なって継がれることになることから、それぞれ継ぎ目が目立たなく、また、継ぎ目も盛り上がらず、保護膜全体を均一な厚さに形成できる。
【００１３】
請求項２に記載の乗客コンベアの手すりベルトの保護膜形成方法によれば、ベルトガイドレールの表側に位置して露出した状態にある一側部のベルトの露出部分の表面に形成された一側第一保護膜層と、一側第一保護膜層の上に形成された一側第ｎ保護膜層の両端部は、いずれも塗布直後に未塗装側へ流れて緩やかな傾斜面となり、そして、他側部のベルトの表面に、一側第一保護膜層の露出している端部と一側第ｎ保護膜層の露出している端部間に表面保護用コーティング剤を塗布して他側第一保護膜層を、この他側第一保護膜層の一方の端部が一側第一保護膜層の露出している端部と、他方の端部が一側第ｎ保護膜層の露出している端部とに重なるように形成し、一側第ｎ保護膜層の露出している端部と一側第ｎ保護膜層の下層に位置する一側第一保護膜層の端部間に表面保護用コーティング剤を塗布して他側第ｎ保護膜層を、この他側第ｎ保護膜層の一方の端部が一側第ｎ保護膜層の露出している端部と、他方の端部が一側第ｎ保護膜層の下層に位置する一側第一保護膜層の端部とに重なるように形成するので、前記他側第一保護膜層の端部及び他側第ｎ保護膜層の端部が、緩やかな傾斜面となっている一側第一保護膜層の端部及び一側第ｎ保護膜層の端部と重なって継がれることになることから、それぞれ継ぎ目が目立たなく、また、継ぎ目も盛り上がらず、保護膜全体を均一な厚さに形成できる。
【００１４】
請求項３に記載の乗客コンベアの手すりベルトの保護膜形成方法によれば、ベルトガイドレールの表側に位置して露出した状態にある一側部のベルトの露出部分の表面に形成された一側第一保護膜層と、一側第一保護膜層の上に形成された一側第ｎ保護膜層の両端部は、いずれも塗布直後に未塗装側へ流れて緩やかな傾斜面となり、そして、他側部のベルトの表面に、一側第ｎ保護膜層の両端部間に表面保護用コーティング剤を塗布して他側第一保護膜層を、この他側第一保護膜層の端部が一側第ｎ保護膜層の端部と重なるように形成し、一側第ｎ保護膜層の下層に位置する一側第一保護膜層の両端部間に表面保護用コーティング剤を塗布して他側第二保護膜層を、この他側第二保護膜層の両端部が一側第ｎ保護膜層の下層に位置する一側第一保護膜層の端部とに重なるように形成するので、前記他側第一保護膜層の端部及び他側第ｎ保護膜層の端部が、緩やかな傾斜面となっている一側第一保護膜層の端部及び一側第ｎ保護膜層の端部と重なって継がれることになることから、それぞれ継ぎ目が目立たなく、また、継ぎ目も盛り上がらず、保護膜全体を均一な厚さに形成できる。
【００１５】
請求項４に記載の乗客コンベアの手すりベルトの保護膜形成方法によれば、請求項１，２又は３に記載の、前記ベルトガイドレールの表側に位置して露出した状態にある一側部のベルトの露出部分の表面に、表面保護用コーティング剤を塗布して一側第一保護膜層、一側第ｎ保護膜層を形成してｎ層からなる一側の保護膜を形成し、前記ベルトを回転移動させ、前記一側の保護膜の両端部が露出するようにベルトガイドレールの裏側に位置して隠れた状態にあった他側部のベルトをベルトガイドレールの表側に露出させた後、前記一側の保護膜の両端部における一側第一保護膜層、一側第ｎ保護膜層の端部を検出して同端部位置における手すりベルト近傍のベルトガイドレールに、一側第一保護膜層、一側第ｎ保護膜層の端部を指示する指示マークを着脱可能に設けるようにしたので、露出した前記他側部のベルトの表面に、一側第一保護膜層の端部及び一側第ｎ保護膜層の端部の間に表面保護用コーティング剤を塗布して他側第一保護膜層及び他側第ｎ保護膜層を形成する際に、指示マークにより一側第一保護膜層の端部及び一側第ｎ保護膜層の端部が容易に確認でき、一側部のベルトの表面に形成した一側の保護膜の両端部間の未塗装状態にある他側部のベルトの表面に表面保護用コーティング剤を塗布して他側の保護膜を形成する作業を容易に行うことができる。
【発明を実施するための最良の形態】
【００１６】
以下、本発明に係る乗客コンベアの手すりベルトの保護膜形成方法を実施するための最良の形態を説明する。
【００１７】
図１乃至図３は、本発明に係る手すりベルトの積層膜形成方法の第１実施例を示したものであり、図１は本発明に係る手すりベルトの積層膜形成方法を実施するための乗客コンベアの全体を示す側面図、図２はベルトガイドレールの表側に位置して露出した状態にある一側部のベルトの露出部分の表面に３層からなる一側の保護膜を形成した状態を示す説明図、図３は図２に示す一側の保護膜の両端部における他側部のベルトの表面に他側の保護膜を形成した状態を示す説明図である。
【００１８】
本例は、乗客コンベアがエスカレータ１である場合の実施例であって、手すりベルト２はベルトガイドレール３に装着された１本の無端ベルトからなり、半分、即ち一側部がベルトガイドレール３の表側に位置して露出した状態にあり、他の半分、即ち他側部がベルトガイドレール３の裏側に位置して隠れた状態にある。
【００１９】
そして、ベルトガイドレール３の表側に位置して露出した状態にある手すりベルト２の、半分、即ち一側部と他側部の境界Ａ、Ｂは乗り口４側と降り口５側に設定される（上がり用と仮定）（図１）。
【００２０】
先ず、ベルトガイドレール３の表側に位置して露出した状態にある一側部のベルト２ａの露出部分の表面に、境界Ａから境界Ｂへ向かって表面保護用コーティング剤を塗布して一側第一保護膜層６を形成し、一側第一保護膜層６の上に、一側第一保護膜層６の両端部６ａ，６ｂより若干内側に表面保護用コーティング剤を塗布して一側第２保護膜層７を形成し、一側第二保護膜層７の上に、一側第二保護膜層７の両端部７ａ，７ｂより若干内側に表面保護用コーティング剤を塗布して一側第三保護膜層８を形成して３層からなる一側の保護膜９を形成する（図２）。
【００２１】
前記一側の保護膜９が乾燥したら、手すりベルト２を回転移動させ、ベルトガイドレール３の裏側に位置して隠れた状態にあった他側部のベルト２ｂを前記一側の保護膜９の両端部９ａ，９ｂが露出するようにベルトガイドレール３の表側に露出させる。
【００２２】
そして、露出した前記一側の保護膜９の両端部９ａ，９ｂを構成する一側第一保護膜層６の両端部６ａ，６ｂ、一側第二保護膜層７の両端部７ａ，７ｂ及び一側第三保護膜層８の両端部８ａ，８ｂの確認にあっては、手すりベルト２の未塗装面と一側第一保護膜層６の面と一側第二保護膜層７の面と一側第三保護膜層８の面の光沢の違いを目視で検出し、或いは光度計を用いて検出することにより確認する。
【００２３】
このとき、前記手段により検出した一側第一保護膜層６の両端部６ａ，６ｂ、一側第二保護膜層７の両端部７ａ，７ｂ及び一側第三保護膜層８の両端部８ａ，８ｂの位置における手すりベルト２の近傍のガイドレール上に、一側第一保護膜層６の両端部６ａ，６ｂ、一側第二保護膜層７の両端部７ａ，７ｂ及び一側第三保護膜層８の両端部８ａ，８ｂを指示する指示マーク１４ａ，１４ｂ，１４ｃ，１４ｄ，１４ｅ，１４ｆを着脱可能に設けておくとよい（図３）。
【００２４】
一側第一保護膜層６の両端部６ａ，６ｂ、一側第二保護膜層７の両端部７ａ，７ｂ及び一側第三保護膜層８の両端部８ａ，８ｂを確認したら、露出した他側部のベルト２ｂの表面に、一側第一保護膜層６の両端部６ａ，６ｂ間に表面保護用コーティング剤を塗布して他側第一保護膜層１０を、この他側第一保護膜層１０の両端部１０ａ，１０ｂが一側第一保護膜層６の両端部６ａ，６ｂと重なるように形成し、一側第二保護膜層７の両端部７ａ，７ｂ間に表面保護用コーティング剤を塗布して他側第二保護膜層１１を、この他側第二保護膜層１１の両端部１１ａ，１１ｂが一側第二保護膜層７の両端部７ａ，７ｂと重なるように形成し、一側第三保護膜層８の両端部８ａ，８ｂ間に表面保護用コーティング剤を塗布して他側第三保護膜層１２を、この他側第三保護膜層１２の両端部１２ａ，１２ｂが一側第三保護膜層８の両端部８ａ，８ｂと重なるように形成して３層からなる他側の保護膜１３を形成する（図３）。このようにして、手すりベルト２の表面に複数層の保護膜を形成する。
【００２５】
本例によれば、ベルトガイドレール３の表側に位置して露出した状態にある一側部のベルト２ａの露出部分の表面に形成された一側第一保護膜層６の両端部６ａ，６ｂ、一側第二保護膜層７の両端部７ａ，７ｂ及び一側第三保護膜層８の両端部８ａ，８ｂはいずれも塗布直後に未塗装側へ流れて緩やかな傾斜面となり、そして、他側部のベルト２ｂの表面に、一側第一保護膜層６の両端部６ａ，６ｂ間に表面保護用コーティング剤を塗布して他側第一保護膜層１０を、この他側第一保護膜層１０の両端部１０ａ，１０ｂが一側第一保護膜層６の両端部６ａ，６ｂと重なるように形成し、一側第二保護膜層７の両端部７ａ，７ｂ間に表面保護用コーティング剤を塗布して他側第二保護膜層１１を、この他側第二保護膜層１１の両端部１１ａ，１１ｂが一側第二保護膜層７の両端部７ａ，７ｂと重なるように形成し、一側第三保護膜層８の両端部８ａ，８ｂ間に表面保護用コーティング剤を塗布して他側第三保護膜層１２を、この他側第三保護膜層１２の両端部１２ａ，１２ｂが一側第三保護膜層８の両端部８ａ，８ｂと重なるように形成するので、他側第一保護膜層１０の両端部１０ａ，１０ｂ、他側第二保護膜層１１の両端部１１ａ，１１ｂ及び他側第三保護膜層１２の両端部１２ａ，１２ｂが、緩やかな傾斜面となっている一側第一保護膜層６の両端部６ａ，６ｂ、一側第二保護膜層７の両端部７ａ，７ｂ及び一側第三保護膜層８の両端部８ａ，８ｂと重なって継がれることになることから、それぞれ継ぎ目、即ち一側の保護膜９の両端部９ａ，９ｂと他側の保護膜１３の両端部１３ａ，１３ｂの継ぎ目が目立たなく、また、継ぎ目も盛り上がらず、保護膜全体を均一な厚さに形成できる。
【００２６】
また、他側部のベルト２ｂの表面に他側の保護膜１３を形成する際に検出した一側第一保護膜層６の両端部６ａ，６ｂ、一側第二保護膜層７の両端部７ａ，７ｂ及び一側第三保護膜層８の両端部８ａ，８ｂの位置における手すりベルト２の近傍のガイドレール上に、一側第一保護膜層６の両端部６ａ，６ｂ、一側第二保護膜層７の両端部７ａ，７ｂ及び一側第三保護膜層８の両端部８ａ，８ｂを指示する指示マーク１４ａ，１４ｂ，１４ｃ，１４ｄ，１４ｅ，１４ｆを着脱可能に設けておくことにより、一側第一保護膜層６の両端部６ａ，６ｂ、一側第二保護膜層７の両端部７ａ，７ｂ及び一側第三保護膜層８の両端部８ａ，８ｂの位置が容易に確認でき、手すりベルト２の一側部のベルト２ａの表面に形成した一側の保護膜９の両端部９ａ，６ｂ間の未塗装状態にある他側部のベルト２ｂの表面に表面保護用コーティング剤を塗布して他側の保護膜１３を形成する作業を容易に行うことができる。
【００２７】
図４、図５は、本発明に係る手すりベルトの積層膜形成方法の第２実施例を示したものであり、図４はベルトガイドレールの表側に位置して露出した状態にある一側部のベルトの露出部分の表面に３層からなる一側の保護膜を形成した状態を示す説明図、図５は図４に示す一側の保護膜の両端部における他側部のベルトの表面に他側の保護膜を形成した状態を示す説明図である。
【００２８】
本例も第１実施例と同様に乗客コンベアがエスカレータ１である場合の実施例であって、第１実施例の図１の説明を援用する。
【００２９】
先ず、ベルトガイドレール３の表側に位置して露出した状態にある一側部のベルト２ａの露出部分の表面に、境界Ａから境界Ｂへ向かって表面保護用コーティング剤を塗布して一側第一保護膜層６を形成し、一側第一保護膜層６の上に、一方の端部７ａを一側第一保護膜層６の一方の端部６ａより内側に、他方の端部７ｂを一側第一保護膜層６の他方の端部６ｂより外側に位置するように表面保護用コーティング剤を塗布して一側第二保護膜層７を形成し、一側第二保護膜層７の上に、一方の端部８ａを一側第二保護膜層７の一方の端部７ａより内側に、他方の端部８ｂを一側第二保護膜層７の他方の端部７ｂより外側に位置するように表面保護用コーティング剤を塗布して一側第三保護膜層８を形成しして３層からなる一側の保護膜９を形成する（図４）。
【００３０】
前記一側の保護膜９が乾燥したら、手すりベルト２を回転移動させ、ベルトガイドレール３の裏側に位置して隠れた状態にあった他側部のベルト２ｂを前記一側の保護膜９の両端部９ａ，９ｂが露出するようにベルトガイドレール３の表側に露出させる。
【００３１】
そして、露出した前記一側の保護膜９の両端部９ａ，９ｂを構成する一側第一保護膜層６の両端部６ａ，６ｂ、一側第二保護膜層７の両端部７ａ，７ｂ及び一側第三保護膜層８の両端部８ａ，８ｂの確認にあっては、第１実施例と同様に、手すりベルト２の未塗装面と一側第一保護膜層６の面と一側第二保護膜層７の面と一側第三保護膜層８の面の光沢の違いを目視で検出し、或いは光度計を用いて検出することにより確認する。
【００３２】
このとき、前記手段により検出した一側第一保護膜層６の両端部６ａ，６ｂ、一側第二保護膜層７の両端部７ａ，７ｂ及び一側第三保護膜層８の両端部８ａ，８ｂの位置における手すりベルト２の近傍のガイドレール上に、一側第一保護膜層６の両端部６ａ，６ｂ、一側第二保護膜層７の両端部７ａ，７ｂ及び一側第三保護膜層８の両端部８ａ，８ｂを指示する指示マーク１４ａ，１４ｂ，１４ｃ，１４ｄ，１４ｅ，１４ｆを着脱可能に設けておくとよい（図５）。
【００３３】
一側第一保護膜層６の両端部６ａ，６ｂ、一側第二保護膜層７の両端部７ａ，７ｂ及び一側第三保護膜層８の両端部８ａ，８ｂを確認したら、露出した他側部のベルト２ｂの表面に、一側第一保護膜層６の露出している端部６ａと一側第三保護膜層８の露出している端部８ｂ間に表面保護用コーティング剤を塗布して他側第一保護膜層１０を、この他側第一保護膜層１０の一方の端部１０ａが一側第一保護膜層６の露出している端部６ａと、他方の端部１０ｂが一側第三保護膜層８の露出している端部８ｂとに重なるように形成し、一側第二保護膜層７の露出している端部７ａと一側第三保護膜層８の下層に位置する一側第二保護膜層７の端部７ｂ間に表面保護用コーティング剤を塗布して他側第二保護膜層１１を、この他側第二保護膜層１１の一方の端部１１ａが一側第二保護膜層７の露出している端部７ａと、他方の端部１１ｂが一側第三保護膜層８の下層に位置する一側第二保護膜層７の端部７ｂとに重なるように形成し、一側第三保護膜層８の露出している端部８ａと一側第二保護膜層７の下層に位置する一側第一保護膜層６の端部６ｂ間に表面保護用コーティング剤を塗布して他側第三保護膜層１２を、この他側第三保護膜層１２の一方の端部１２ａが一側第三保護膜層８の露出している端部８ａと、他方の端部１２ｂが一側第二保護膜層７の下層に位置する一側第一保護膜層６の端部６ｂとに重なるように形成して３層からなる他側の保護膜１３を形成する（図５）。このようにして、手すりベルト２の表面に３層の保護膜を形成する。
【００３４】
第２実施例によれば、ベルトガイドレール３の表側に位置して露出した状態にある一側部のベルト２ａの露出部分の表面に形成された一側第一保護膜層６の両端部６ａ，６ｂ、一側第二保護膜層７の両端部７ａ，７ｂ及び一側第三保護膜層８の両端部８ａ，８ｂはいずれも塗布直後に未塗装側へ流れて緩やかな傾斜面となり、そして、他側部のベルト２ｂの表面に、一側第一保護膜層６の露出している端部６ａと一側第三保護膜層８の露出している端部８ｂ間に表面保護用コーティング剤を塗布して他側第一保護膜層１０を、この他側第一保護膜層１０の一方の端部１０ａが一側第一保護膜層６の露出している端部６ａと、他方の端部１０ｂが一側第三保護膜層８の露出している端部８ｂとに重なるように形成し、一側第二保護膜層７の露出している端部７ａと一側第三保護膜層８の下層に位置する一側第二保護膜層７の端部７ｂ間に表面保護用コーティング剤を塗布して他側第二保護膜層１１を、この他側第二保護膜層１１の一方の端部１１ａが一側第二保護膜層７の露出している端部７ａと、他方の端部１１ｂが一側第三保護膜層８の下層に位置する一側第二保護膜層７の端部７ｂとに重なるように形成し、一側第三保護膜層８の露出している端部８ａと一側第二保護膜層７の下層に位置する一側第一保護膜層６の端部６ｂ間に表面保護用コーティング剤を塗布して他側第三保護膜層１２を、この他側第三保護膜層１２の一方の端部１２ａが一側第三保護膜層８の露出している端部８ａと、他方の端部１２ｂが一側第二保護膜層７の下層に位置する一側第一保護膜層６の端部６ｂとに重なるように形成するので、他側第一保護膜層１０の両端部１０ａ，１０ｂ、他側第二保護膜層１１の両端部１１ａ，１１ｂ及び他側第三保護膜層１２の両端部１２ａ，１２ｂが、緩やかな傾斜面となっている一側第一保護膜層６の両端部６ａ，６ｂ、一側第二保護膜層７の両端部７ａ，７ｂ及び一側第三保護膜層８の両端部８ａ，８ｂと重なって継がれることになることから、それぞれ継ぎ目、即ち一側の保護膜９の両端部９ａ，９ｂと他側の保護膜１３の両端部１３ａ，１３ｂの継ぎ目が目立たなく、また、継ぎ目も盛り上がらず、保護膜全体を均一な厚さに形成できる。
【００３５】
また、他側部のベルト２ｂの表面に他側の保護膜１３を形成する際に検出した一側第一保護膜層６の両端部６ａ，６ｂ、一側第二保護膜層７の両端部７ａ，７ｂ及び一側第三保護膜層８の両端部８ａ，８ｂの位置における手すりベルト２の近傍のガイドレール上に、一側第一保護膜層６の両端部６ａ，６ｂ、一側第二保護膜層７の両端部７ａ，７ｂ及び一側第三保護膜層８の両端部８ａ，８ｂを指示する指示マーク１４ａ，１４ｂ，１４ｃ，１４ｄ，１４ｅ，１４ｆを着脱可能に設けておくことにより、第１実施例と同様に、一側第一保護膜層６の両端部６ａ，６ｂ、一側第二保護膜層７の両端部７ａ，７ｂ及び一側第三保護膜層８の両端部８ａ，８ｂの位置が容易に確認でき、手すりベルト２の一側部のベルト２ａの表面に形成した一側の保護膜９の両端部９ａ，６ｂ間の未塗装状態にある他側部のベルト２ｂの表面に表面保護用コーティング剤を塗布して他側の保護膜１３を形成する作業を容易に行うことができる。
【００３６】
図６、図７は、本発明に係る手すりベルトの積層膜形成方法の第３実施例を示したものであり、図６はベルトガイドレールの表側に位置して露出した状態にある一側部のベルトの露出部分の表面に３層からなる一側の保護膜を形成した状態を示す説明図、図７は図６に示す一側の保護膜の両端部における他側部のベルトの表面に他側の保護膜を形成した状態を示す説明図である。
【００３７】
本例も第１実施例と同様に乗客コンベアがエスカレータ１である場合の実施例であって、第１実施例の図１の説明を援用する。
【００３８】
先ず、ベルトガイドレール３の表側に位置して露出した状態にある一側部のベルト２ａの露出部分の表面に、境界Ａから境界Ｂへ向かって表面保護用コーティング剤を塗布して一側第一保護膜層６を形成し、一側第一保護膜層６の上に、両端部７ａ，７ｂが、一側第一保護膜層６の両端部６ａ，６ｂより外側に位置するように表面保護用コーティング剤を塗布して一側第２保護膜層７を形成し、一側第二保護膜層７の上に、両端部８ａ，８ｂが一側第二保護膜層７の両端部７ａ，７ｂより外側に位置するように表面保護用コーティング剤を塗布して一側第三保護膜層８を形成して３層からなる一側の保護膜９を形成する（図６）。
【００３９】
前記一側の保護膜９が乾燥したら、手すりベルト２を回転移動させ、ベルトガイドレール３の裏側に位置して隠れた状態にあった他側部のベルト２ｂを前記一側の保護膜９の両端部９ａ，９ｂが露出するようにベルトガイドレール３の表側に露出させる。
【００４０】
そして、露出した前記一側の保護膜９の両端部９ａ，９ｂを構成する一側第一保護膜層６の両端部６ａ，６ｂ、一側第二保護膜層７の両端部７ａ，７ｂ及び一側第三保護膜層８の両端部８ａ，８ｂの確認にあっては、第１実施例と同様に、手すりベルト２の未塗装面と一側第一保護膜層６の面と一側第二保護膜層７の面と一側第三保護膜層８の面の光沢の違いを目視で検出し、或いは光度計を用いて検出することにより確認する。
【００４１】
このとき、前記手段により検出した一側第一保護膜層６の両端部６ａ，６ｂ、一側第二保護膜層７の両端部７ａ，７ｂ及び一側第三保護膜層８の両端部８ａ，８ｂの位置における手すりベルト２の近傍のガイドレール上に、一側第一保護膜層６の両端部６ａ，６ｂ、一側第二保護膜層７の両端部７ａ，７ｂ及び一側第三保護膜層８の両端部８ａ，８ｂを指示する指示マーク１４ａ，１４ｂ，１４ｃ，１４ｄ，１４ｅ，１４ｆを着脱可能に設けておくとよい（図７）。
【００４２】
一側第一保護膜層６の両端部６ａ，６ｂ、一側第二保護膜層７の両端部７ａ，７ｂ及び一側第三保護膜層８の両端部８ａ，８ｂを確認したら、露出した他側部のベルト２ｂの表面に、一側第三保護膜層８の両端部８ａ，８ｂ間に表面保護用コーティング剤を塗布して他側第一保護膜層１０を、この他側第一保護膜層１０の両端部１０ａ，１０ｂが一側第三保護膜層８の両端部８ａ，８ｂと重なるように形成し、一側第三保護膜層８の下層に位置する一側第二保護膜層７の両端部７ａ，４ｂ間に表面保護用コーティング剤を塗布して他側第二保護膜層１１を、この他側第二保護膜層１１の両端部１１ａ，１１ｂが一側第三保護膜層８の下層に位置する一側第二保護膜層７の両端部７ａ，７ｂとに重なるように形成し、一側第二保護膜層７の下層に位置する一側第一保護膜層６の両端部６ａ，６ｂ間に表面保護用コーティング剤を塗布して他側第三保護膜層１２を、この他側第三保護膜層１２の両端部１２ａ，１２ｂが一側第二保護膜層７の下層に位置する一側第一保護膜層６の両端部６ａ，６ｂとに重なるように形成する（図７）。このようにして、手すりベルト２の表面に３層の保護膜を形成する。
【００４３】
第３実施例によれば、ベルトガイドレール３の表側に位置して露出した状態にある一側部のベルト２ａの露出部分の表面に形成された一側第一保護膜層６の両端部６ａ，６ｂ、一側第二保護膜層７の両端部７ａ，７ｂ及び一側第三保護膜層８の両端部８ａ，８ｂはいずれも塗布直後に未塗装側へ流れて緩やかな傾斜面となり、そして、他側部のベルト２ｂの表面に、一側第三保護膜層８の両端部８ａ，８ｂ間に表面保護用コーティング剤を塗布して他側第一保護膜層１０を、この他側第一保護膜層１０の両端部１０ａ，１０ｂが一側第三保護膜層８の両端部８ａ，８ｂと重なるように形成し、一側第三保護膜層８の下層に位置する一側第二保護膜層７の両端部７ａ，４ｂ間に表面保護用コーティング剤を塗布して他側第二保護膜層１１を、この他側第二保護膜層１１の両端部１１ａ，１１ｂが一側第三保護膜層８の下層に位置する一側第二保護膜層７の両端部７ａ，７ｂとに重なるように形成し、一側第二保護膜層７の下層に位置する一側第一保護膜層６の両端部６ａ，６ｂ間に表面保護用コーティング剤を塗布して他側第三保護膜層１２を、この他側第三保護膜層１２の両端部１２ａ，１２ｂが一側第二保護膜層７の下層に位置する一側第一保護膜層６の両端部６ａ，６ｂとに重なるように形成するので、他側第一保護膜層１０の両端部１０ａ，１０ｂ、他側第二保護膜層１１の両端部１１ａ，１１ｂ及び他側第三保護膜層１２の両端部１２ａ，１２ｂが、緩やかな傾斜面となっている一側第一保護膜層６の両端部６ａ，６ｂ、一側第二保護膜層７の両端部７ａ，７ｂ及び一側第三保護膜層８の両端部８ａ，８ｂと重なって継がれることになることから、それぞれ継ぎ目、即ち一側の保護膜９の両端部９ａ，９ｂと他側の保護膜１３の両端部１３ａ，１３ｂの継ぎ目が目立たなく、また、継ぎ目も盛り上がらず、保護膜全体を均一な厚さに形成できる。
【００４４】
また、他側部のベルト２ｂの表面に他側の保護膜１３を形成する際に検出した一側第一保護膜層６の両端部６ａ，６ｂ、一側第二保護膜層７の両端部７ａ，７ｂ及び一側第三保護膜層８の両端部８ａ，８ｂの位置における手すりベルト２の近傍のガイドレール上に、一側第一保護膜層６の両端部６ａ，６ｂ、一側第二保護膜層７の両端部７ａ，７ｂ及び一側第三保護膜層８の両端部８ａ，８ｂを指示する指示マーク１４ａ，１４ｂ，１４ｃ，１４ｄ，１４ｅ，１４ｆを着脱可能に設けておくことにより、一側第一保護膜層６の両端部６ａ，６ｂ、一側第二保護膜層７の両端部７ａ，７ｂ及び一側第三保護膜層８の両端部８ａ，８ｂの位置が容易に確認でき、手すりベルト２の一側部のベルト２ａの表面に形成した一側の保護膜９の両端部９ａ，６ｂ間の未塗装状態にある他側部のベルト２ｂの表面に表面保護用コーティング剤を塗布して他側の保護膜１３を形成する作業を容易に行うことができる。
【００４５】
なお、第１実施例、第２実施例、第３実施例は、いずれも手すりベルト２の表面に３層の保護膜を形成しているが、本発明はこれに限定されるものではなく、第１実施例、第２実施例、第３実施例に示す保護膜層の積層工程を繰り返すことにより、２層、或いは３層以上の保護膜を形成することも含まれる。
【図面の簡単な説明】
【００４６】
【図１】本発明に係る手すりベルトの積層膜形成方法を実施するための乗客コンベアの全体を示す側面図。
【図２】本発明に係る手すりベルトの積層膜形成方法の第１実施例で、ベルトガイドレールの表側に位置して露出した状態にある一側部のベルトの露出部分の表面に３層からなる一側の保護膜を形成した状態を示す説明図。
【図３】図２に示す一側の保護膜の両端部における他側部のベルトの表面に他側の保護膜を形成した状態を示す説明図。
【図４】本発明に係る手すりベルトの積層膜形成方法の第２実施例で、ベルトガイドレールの表側に位置して露出した状態にある一側部のベルトの露出部分の表面に３層からなる一側の保護膜を形成した状態を示す説明図。
【図５】図４に示す一側の保護膜の両端部における他側部のベルトの表面に他側の保護膜を形成した状態を示す説明図。
【図６】本発明に係る手すりベルトの積層膜形成方法の第３実施例で、ベルトガイドレールの表側に位置して露出した状態にある一側部のベルトの露出部分の表面に３層からなる一側の保護膜を形成した状態を示す説明図。
【図７】図６に示す一側の保護膜の両端部における他側部のベルトの表面に他側の保護膜を形成した状態を示す説明図。
【符号の説明】
【００４７】
１  エスカレータ
２  手すりベルト
２ａ  一側のベルト
２ｂ  他側のベルト
３  ベルトガイドレール
４  乗り口
５  降り口
６  一側第一保護膜層
６ａ、６ｂ  一側第一保護膜層の端部
７  一側第二保護膜層
７ａ、７ｂ  一側第二保護膜層の端部
８  一側第三保護膜層
８ａ、８ｂ  一側第三保護膜層の端部
９  一側の保護膜
９ａ、９ｂ  一側の保護膜の端部
１０  他側第一保護膜層
１０ａ、１０ｂ  他側第一保護膜層の端部
１１  他側第二保護膜層
１１ａ、１１ｂ  他側第二保護膜層の端部
１２  他側第三保護膜層
１２ａ、１２ｂ  他側第三保護膜層の端部
１３  他側の保護膜
１３ａ、１３ｂ  他側の保護膜の端部
１４ａ、１４ｂ、１４ｃ、１４ｄ、１５ｅ、１４ｆ  指示マーク
【図１】
0005107107.tif 000002
【図２】
0005107107.tif 000003
【図３】
0005107107.tif 000004
【図４】
0005107107.tif 000005
【図５】
0005107107.tif 000006
【図６】
0005107107.tif 000007
【図７】
0005107107.tif 000008